(57)【特許請求の範囲】
【請求項１】
ハンドオーバのためにワイヤレスデバイスによって実施される方法であって、
ソースセルに関連するソースネットワークノードから第１のハンドオーバメッセージを受信すること（６１５）であって、前記第１のハンドオーバメッセージは、ターゲットセルの識別と、前記ターゲットセルに関連するアクセス情報とを含み、前記ターゲットセルは前記ソースセルとは異なり、かつ、少なくとも２つのビームを含み、前記アクセス情報は、前記ターゲットセルと関連する、許容されるビームの指示を含み、前記許容されるビームは、前記ワイヤレスデバイスが前記ターゲットセルにアクセスするために使用することが許可されており、かつ、前記ターゲットセルの前記ビームのすべてよりも少ないビームを含むこと、
前記第１のハンドオーバメッセージからの前記ターゲットセルの前記識別および前記アクセス情報に基づいて、前記ターゲットセルの前記少なくとも２つのビームの中から少なくとも１つのビームを識別すること（６２０）、および
識別された少なくとも１つのビームを使用して前記ターゲットセルにアクセスすること（６２５）
を含む方法。
【請求項２】
前記ターゲットセルが第２のネットワークノードに関連付けられ、前記第２のネットワークノードが前記ソースネットワークノードとは異なる請求項１に記載の方法。
【請求項３】
前記アクセス情報がランダムアクセスチャネル（ＲＡＣＨ）情報を含む請求項１または２に記載の方法。
【請求項４】
前記アクセス情報が、前記ターゲットセルの前記許容されるビームのそれぞれにマッピングされるランダムアクセスプリアンブルを含む請求項１から３のいずれか一項に記載の方法。
【請求項５】
前記アクセス情報が、共通ランダムアクセス設定情報および前記許容されるビームのための専用ランダムアクセスリソースを含む請求項１から４のいずれか一項に記載の方法。
【請求項６】
識別された少なくとも１つのビームを使用して前記ターゲットセルにアクセスすること（６２５）が、コンテンションベースのランダムアクセス手順を使用して前記ターゲットセルにアクセスすることを含む請求項１から５のいずれか一項に記載の方法。
【請求項７】
識別された少なくとも１つのビームを使用して前記ターゲットセル（６２５）にアクセスすることが、前記ターゲットセルに関連するシステム情報を最初に読み取ることなく前記ターゲットセルにアクセスすることを含む請求項１から６のいずれか一項に記載の方法。
【請求項８】
ハンドオーバのためのワイヤレスデバイスであって、
ソースセルに関連するソースネットワークノードから第１のハンドオーバメッセージを受信するように設定されたワイヤレスインターフェース（２１１、３１０）であって、前記第１のハンドオーバメッセージが、ターゲットセルの識別と、前記ターゲットセルに関連するアクセス情報とを含み、前記ターゲットセルは前記ソースセルとは異なり、かつ、少なくとも２つのビームを含み、前記アクセス情報は、前記ターゲットセルと関連する、許容されるビームの指示を含み、前記許容されるビームは、前記ワイヤレスデバイスが前記ターゲットセルにアクセスするために使用することが許可されており、かつ、前記ターゲットセルの前記ビームのすべてよりも少ないビームを含む、ワイヤレスインターフェース（２１１、３１０）と、
前記第１のハンドオーバメッセージからの前記ターゲットセルの前記識別および前記アクセス情報に基づいて、前記ターゲットセルの前記少なくとも２つのビームの中から少なくとも１つのビームを識別するように設定された処理回路（２１２、３１５）と、
入力情報を受信し、出力情報を提供するように設定された入力および出力インターフェース（３２０、３２５）と、
前記ワイヤレスインターフェース、処理回路、ならびに入力および出力インターフェースに電力を供給するように設定された電源（３３５）とを備え、
前記ワイヤレスインターフェース（２１１、３１０）が、識別された少なくとも１つのビームを使用して前記ターゲットセルにアクセスするようにさらに設定されるワイヤレスデバイス。
【請求項９】
前記ターゲットセルが第２のネットワークノードに関連付けられ、前記第２のネットワークノードが前記ソースネットワークノードとは異なる請求項８に記載のワイヤレスデバイス。
【請求項１０】
前記アクセス情報がランダムアクセスチャネル（ＲＡＣＨ）情報を含む請求項８または９に記載のワイヤレスデバイス。
【請求項１１】
前記アクセス情報が、前記ターゲットセルの前記許容されるビームのそれぞれにマッピングされるランダムアクセスプリアンブルを含む請求項８から１０のいずれか一項に記載のワイヤレスデバイス。
【請求項１２】
前記アクセス情報が、共通ランダムアクセス設定情報および前記許容されるビームのための専用ランダムアクセスリソースを含む請求項８から１１のいずれか一項に記載のワイヤレスデバイス。
【請求項１３】
識別された少なくとも１つのビームを使用して前記ターゲットセルにアクセスするように設定された前記ワイヤレスインターフェース（２１１、３１０）が、コンテンションベースのランダムアクセス手順を使用して前記ターゲットセルにアクセスするように設定される請求項８から１２のいずれか一項に記載のワイヤレスデバイス。
【請求項１４】
識別された少なくとも１つのビームを使用して前記ターゲットセルにアクセスするように設定された前記ワイヤレスインターフェース（２１１、３１０）が、前記ターゲットセルに関連するシステム情報を最初に読み取ることなく前記ターゲットセルにアクセスするように設定される請求項８から１３のいずれか一項に記載のワイヤレスデバイス。
【請求項１５】
ハンドオーバのためのワイヤレス通信システムであって、
少なくとも２つのネットワークノード（２２０、２２０ａ）と、
前記少なくとも２つのネットワークノードのうちの第１のネットワークノードにワイヤレスに接続された少なくとも１つのワイヤレスデバイス（２１０）とを備え、
前記第１のネットワークノード（２２０）が、
前記少なくとも１つのワイヤレスデバイスについての前記少なくとも２つのネットワークノードのうちの第２のネットワークノードに関連するアクセス情報を決定し、前記アクセス情報が、前記第２のネットワークノードに関連する、許容されるビームの指示を含み、前記許容されるビームは、前記ワイヤレスデバイスが前記第２のネットワークノードにアクセスするために使用することが許可されており、かつ、前記第２のネットワークノードの前記ビームのすべてよりも少ないビームを含み、
前記少なくとも１つのワイヤレスデバイスに送信されるべき前記第２のネットワークノードに関連する前記アクセス情報を準備する
ように設定され、
前記少なくとも１つのワイヤレスデバイス（２１０）が、
前記第１のネットワークノードからハンドオーバメッセージを受信することであって、前記ハンドオーバメッセージが、前記第２のネットワークノードに関連する識別と、前記第２のネットワークノードに関連する前記アクセス情報とを含むこと、
前記第２のネットワークノードから少なくとも１つのビームを識別および選択すること、および
前記ハンドオーバメッセージからの前記アクセス情報に基づいて、識別および選択された少なくとも１つのビームを使用して前記第２のネットワークノードにアクセスすること
を行うように設定されるシステム。
【請求項１６】
プロセッサ（２１２）およびコンピュータ可読記憶媒体（２１３）を備えるハンドオーバのためのワイヤレスデバイス（２１０）であって、前記記憶媒体が、前記プロセッサによって実行可能である命令を含み、それによって、前記ワイヤレスデバイスが、
ソースセルに関連するソースネットワークノードから第１のハンドオーバメッセージを受信すること（４３０）であって、前記第１のハンドオーバメッセージが、ターゲットセルの識別と、前記ターゲットセルに関連するアクセス情報とを含み、前記ターゲットセルは前記ソースセルとは異なり、かつ、少なくとも２つのビームを含み、前記アクセス情報が、前記ターゲットセルに関連する、許容されるビームの指示を含み、前記許容されるビームは、前記ワイヤレスデバイスが前記ターゲットセルにアクセスするために使用することが許可されており、かつ、前記ターゲットセルの前記ビームのすべてよりも少ないビームを含むこと、
前記第１のハンドオーバメッセージからの前記ターゲットセルの前記識別および前記アクセス情報に基づいて、前記ターゲットセルの前記少なくとも２つのビームの中から少なくとも１つのビームを識別すること、および
識別された少なくとも１つのビームを使用して前記ターゲットセルにアクセスすること（４４０）
を行うように動作可能であるワイヤレスデバイス（２１０）。
【請求項１７】
前記ターゲットセルが第２のネットワークノードに関連付けられ、前記第２のネットワークノードが前記ソースネットワークノードとは異なる請求項１６に記載のワイヤレスデバイス。
【請求項１８】
前記アクセス情報がランダムアクセスチャネル（ＲＡＣＨ）情報を含む請求項１６または１７に記載のワイヤレスデバイス。
【請求項１９】
前記アクセス情報が、前記ターゲットセルの前記許容されるビームのそれぞれにマッピングされるランダムアクセスプリアンブルを含む請求項１６から１８のいずれか一項に記載のワイヤレスデバイス。
【請求項２０】
前記アクセス情報が、共通ランダムアクセス設定情報および前記許容されるビームのための専用ランダムアクセスリソースを含む請求項１６から１９のいずれか一項に記載のワイヤレスデバイス。
【請求項２１】
前記ワイヤレスデバイスが、コンテンションベースのランダムアクセス手順を使用して前記ターゲットセルにアクセスするようにさらに設定される請求項１６から２０のいずれか一項に記載のワイヤレスデバイス。
【請求項２２】
前記ワイヤレスデバイスが、前記ターゲットセルに関連するシステム情報を最初に読み取ることなく識別された少なくとも１つのビームを使用して前記ターゲットセルにアクセスするようにさらに設定される請求項１６から２１のいずれか一項に記載のワイヤレスデバイス。
【請求項２３】
ハンドオーバのためのワイヤレスデバイスであって、
ソースセルに関連するソースネットワークノードから第１のハンドオーバメッセージを受信するように設定された受信機ユニット（７１２）であって、前記第１のハンドオーバメッセージが、ターゲットセルの識別と、前記ターゲットセルに関連するアクセス情報とを含み、前記ターゲットセルは前記ソースセルとは異なり、かつ、少なくとも２つのビームを含み、前記アクセス情報が、前記ターゲットセルに関連する、許容されるビームの指示を含み、前記許容されるビームは、前記ワイヤレスデバイスが前記ターゲットセルにアクセスするために使用することが許可されており、かつ、前記ターゲットセルの前記ビームのすべてよりも少ないビームを含む、受信機ユニット（７１２）と、
前記第１のハンドオーバメッセージからの前記ターゲットセルの前記識別および前記アクセス情報に基づいて、前記ターゲットセルの前記少なくとも２つのビームの中から少なくとも１つのビームを識別するように設定された識別ユニット（７１４）と、
識別された少なくとも１つのビームを使用して前記ターゲットセルにアクセスするように設定されたアクセスユニット（７１６）と
を備えるワイヤレスデバイス。
【請求項２４】
前記ターゲットセルが第２のネットワークノードに関連付けられ、前記第２のネットワークノードが前記ソースネットワークノードとは異なる請求項２３に記載のワイヤレスデバイス。
【請求項２５】
前記アクセス情報がランダムアクセスチャネル（ＲＡＣＨ）情報を含む請求項２３または２４に記載のワイヤレスデバイス。
【請求項２６】
前記アクセス情報が、前記ターゲットセルの前記許容されるビームのそれぞれにマッピングされるランダムアクセスプリアンブルを含む請求項２３から２５のいずれか一項に記載のワイヤレスデバイス。
【請求項２７】
前記アクセス情報が、共通ランダムアクセス設定情報および前記許容されるビームのための専用ランダムアクセスリソースを含む請求項２３から２６のいずれか一項に記載のワイヤレスデバイス。
【請求項２８】
前記アクセスユニット（７１６）が、コンテンションベースのランダムアクセス手順を使用して、前記ターゲットセルにアクセスするようにさらに設定される請求項２３から２７のいずれか一項に記載のワイヤレスデバイス。
【請求項２９】
前記アクセスユニット（７１６）が、前記ターゲットセルに関連するシステム情報を最初に読み取ることなく前記ターゲットセルにアクセスするようにさらに設定される請求項２３から２８のいずれか一項に記載のワイヤレスデバイス。
【発明の詳細な説明】
【技術分野】
【０００１】
本明細書で提示される実施形態はワイヤレスハンドオーバに関し、詳細には、ワイヤレスハンドオーバのための方法、ネットワークノード、ワイヤレスデバイス、コンピュータプログラム、またはコンピュータプログラム製品に関する。
【背景技術】
【０００２】
５Ｇワイヤレス通信のためのＮｅｗ  Ｒａｄｉｏ（ＮＲ）の設計目標の１つは、高周波数（例えば、２８ＧＨｚ）上の動作をサポートすることであり、高周波数では、十分な無線カバレッジを維持するために大量のビーム形成が必要とされる。これは、ハンドオーバ（ＨＯ）などのモビリティ手順を含む、いくつかのシステム機能に影響を及ぼす。レガシーＬｏｎｇ  Ｔｅｒｍ  Ｅｖｏｌｕｔｉｏｎ（ＬＴＥ）（例えば、４Ｇワイヤレス通信）で使用されるＨＯ手順が図１に示されている。
【０００３】
レガシーワイヤレス通信システムでは、ユーザ機器（ＵＥ）が、イベントベースのレポートトリガリング基準と共に設定されていた。トリガリング基準が満たされると、ＵＥは、無線リソース制御（ＲＲＣ）を介してソースｅＮＢ（ＵＥが現在接続されているｅＮＢ）に測定レポートを送る。ネットワークによって提供される測定レポーティングパラメータは、ピンポン障害ならびにハンドオーバ障害の両方を最小限に抑えることを目指す。イントラ周波数モビリティでは、これは通常、近隣セルがサービングセルよりも数ｄＢ良好であることが判明したときにレポートがトリガされるようにＡ３測定イベントを設定することによって達成される。不良無線条件での測定誤差のために、かつ必要なフィルタリングのために、実際の信号強度の差は、設定されたイベントしきい値によって予想されるものよりも悪いことがある。この結果、多くの測定レポートおよび後続のモビリティ関連ＲＲＣシグナリングが、困難な無線条件で交換され、したがって誤りが生じがちとなる。
【０００４】
モビリティのためにＬＴＥで設計される機構は、ビームベースのシステムでのモビリティのための十分な機構を提供しない。具体的には、ＮＲのようなビームベースのシステム、特に高い周波数帯では、ＵＥに対するサービング無線リンクが、従来のＬＴＥ配置よりもずっと急速に損なわれることがある。ＵＥが現サービングビームカバレッジエリアの外に移動しているとき、ＨＯ手順を完了するためにサービングノードを介してＲＲＣシグナリングを実施することが不可能であることがある。
【発明の概要】
【０００５】
本明細書での実施形態の目的は、ビームベースのシステムをサポートする、ハンドオーバなどのモビリティ機構を提供することである。いくつかの実施形態によれば、ハンドオーバのためにワイヤレスデバイスによって実施される方法が、ソースセルに関連するソースネットワークノードから第１のハンドオーバメッセージを受信することを含む。第１のハンドオーバメッセージは、ターゲットセルの識別と、ターゲットセルに関連するアクセス情報とを含む。ターゲットセルはソースセルとは異なり、１つまたは複数のビームを含む。アクセス情報はビーム関連情報を含む。方法はまた、第１のハンドオーバメッセージからのターゲットセルの識別およびアクセス情報に基づいて、ターゲットセルの１つまたは複数のビームの中から少なくとも１つのビームを識別することをも含む。方法はさらに、識別された少なくとも１つのビームを使用してターゲットセルにアクセスすることを含む。
【０００６】
いくつかの実施形態では、ターゲットセルが、ソースネットワークノードとは異なる第２のネットワークノードに関連付けられる。いくつかの実施形態では、アクセス情報はランダムアクセスチャネル（ＲＡＣＨ）情報を含む。特定の実施形態では、ターゲットセルは少なくとも２つのビームを有する。そのような実施形態では、アクセス情報は、ターゲットセルに関連する、許容されるビームの指示を含み得る。許容されるビームは、ターゲットセルのビームのすべてよりも少ないことがある。いくつかの実施形態では、アクセス情報は、ターゲットセルの許容されるビームのそれぞれにマッピングされるランダムアクセスプリアンブルを含み得る。いくつかの実施形態では、アクセス情報は、共通ランダムアクセス設定情報および許容されるビームのための専用ランダムアクセスリソースを含む。いくつかの実施形態では、識別された少なくとも１つのビームを使用してターゲットセルにアクセスすることは、コンテンションベースのランダムアクセス手順を使用してターゲットセルにアクセスすることを含み得る。特定の実施形態では、識別された少なくとも１つのビームを使用してターゲットセルにアクセスすることは、ターゲットセルに関連するシステム情報をまず読み取ることなく、ターゲットセルにアクセスすることを含み得る。
【０００７】
いくつかの実施形態によれば、ハンドオーバのためのワイヤレスデバイスが、ソースネットワークノードから第１のハンドオーバメッセージを受信するように設定されたワイヤレスインターフェースを含む。ソースネットワークノードはソースセルに関連付けられる。第１のハンドオーバメッセージは、ターゲットセルの識別と、ターゲットセルに関連するアクセス情報とを含む。ターゲットセルはソースセルとは異なり、１つまたは複数のビームを含む。ワイヤレスデバイスはまた、第１のハンドオーバメッセージからのターゲットセルの識別およびアクセス情報に基づいて、ターゲットセルの１つまたは複数のビームの中から少なくとも１つのビームを識別するように設定された処理回路をも含む。ワイヤレスデバイスはまた、入力情報を受け取り、出力情報を提供するように設定される入力および出力インターフェースをも含む。ワイヤレスデバイスは、ワイヤレスインターフェース、処理回路、ならびに入力および出力インターフェースに電力を供給するように設定される電源をさらに含む。ワイヤレスインターフェースは、識別された少なくとも１つのビームを使用してターゲットセルにアクセスするようにさらに設定される。
【０００８】
いくつかの実施形態によれば、ハンドオーバのためのワイヤレス通信システムが少なくとも２つのネットワークノードを含む。ワイヤレス通信システムはまた、少なくとも２つのネットワークノードのうちの第１のネットワークノードにワイヤレスに接続された少なくとも１つのワイヤレスデバイスをも含む。第１のネットワークノードは、少なくとも１つのワイヤレスデバイスについての少なくとも２つのネットワークノードのうちの第２のネットワークノードに関連するアクセス情報を決定するように設定される。第１のネットワークノードはまた、少なくとも１つのワイヤレスデバイスに送信されるべき第２のネットワークノードに関連するアクセス情報を準備するように設定される。少なくとも１つのワイヤレスデバイスは、第１のネットワークノードからハンドオーバメッセージを受信するように設定される。ハンドオーバメッセージは、第２のネットワークノードに関連する識別と、第２のネットワークノードに関連するアクセス情報とを含む。少なくとも１つのワイヤレスデバイスはまた、第２のネットワークノードからの少なくとも１つのビームを識別および選択するように設定される。少なくとも１つのワイヤレスデバイスは、ハンドオーバメッセージからのアクセス情報に基づいて、識別および選択された少なくとも１つのビームを使用して、第２のネットワークノードにアクセスするようにさらに設定される。
【０００９】
いくつかの実施形態によれば、ハンドオーバのためのワイヤレスデバイスが、プロセッサおよびコンピュータ可読記憶媒体を備える。記憶媒体は、プロセッサによって実行可能な命令を含む。命令が実行されるとき、ワイヤレスデバイスは、ソースセルに関連するソースネットワークノードから第１のハンドオーバメッセージを受信するように動作可能である。第１のハンドオーバメッセージは、ターゲットセルの識別と、ターゲットセルに関連するアクセス情報とを含む。ターゲットセルはソースセルとは異なり、１つまたは複数のビームを含む。ワイヤレスデバイスはまた、第１のハンドオーバメッセージからのターゲットセルの識別およびアクセス情報に基づいて、ターゲットセルの１つまたは複数のビームの中から少なくとも１つのビームを識別するように動作可能である。ワイヤレスデバイスは、識別された少なくとも１つのビームを使用してターゲットセルにアクセスするようにさらに動作可能である。
【００１０】
いくつかの実施形態によれば、ハンドオーバのためのワイヤレスデバイスが、ソースセルに関連するソースネットワークノードから第１のハンドオーバメッセージを受信するように設定された受信機ユニットを備える。第１のハンドオーバメッセージは、ターゲットセルの識別と、ターゲットセルに関連するアクセス情報とを含む。ターゲットセルはソースセルとは異なり、１つまたは複数のビームを含む。ワイヤレスデバイスはまた、第１のハンドオーバメッセージからのターゲットセルの識別およびアクセス情報に基づいて、ターゲットセルの１つまたは複数のビームの中から少なくとも１つのビームを識別するように設定された識別ユニットをも備える。ワイヤレスデバイスは、識別された少なくとも１つのビームを使用してターゲットセルにアクセスするように設定されたアクセスユニットをさらに含む。
【００１１】
有利には、１つまたは複数の実施形態は、近隣セル内のターゲットビームに関係するハンドオーバコマンドの内容内の追加の情報を提供する。さらに、１つまたは複数の実施形態は、ターゲットセル内のビームの選択を可能にするように同期およびランダムアクセス手順の拡張を提供する。いくつかの実施形態は、ハンドオーバコマンドを条件に（例えば、ＲＲＣＣｏｎｎｅｃｔｉｏｎＲｅｃｏｎｆｉｇｕｒａｔｉｏｎをｍｏｂｉｌｉｔｙＣｏｎｔｒｏｌＩｎｆｏに）関連付ける能力をさらに提供する。履行されるべき条件をＵＥが決定するとすぐに、ＵＥは、ハンドオーバコマンドに従ってハンドオーバを実行する。
【００１２】
一般に、特許請求の範囲で使用されるすべての用語は、本明細書で別段に明示的に規定されていない限り、技術分野における通常の意味に従って解釈されるべきである。「要素、装置、構成要素、手段、ステップ（ａ／ａｎ／ｔｈｅ  ｅｌｅｍｅｎｔ，  ａｐｐａｒａｔｕｓ，  ｃｏｍｐｏｎｅｎｔ，  ｍｅａｎｓ，  ｓｔｅｐ）など」に対するすべての参照は、別段に明記されていない限り、要素、装置、構成要素、手段、ステップなどの少なくとも１つの例を参照すると公然と解釈されるべきである。本明細書で開示される任意の方法のステップは、明記されていない限り、開示される厳密な順序で実施される必要はない。
【００１３】
適切な場合はいつでも、上記の実施形態のいずれかの任意の特徴が任意の他の実施形態に適用され得ることに留意されたい。同様に、本明細書の実施形態のいずれかの任意の利点が他の実施形態に適用され得、逆も同様である。開示される実施形態の他の目的、特徴、および利点が、以下の詳細な開示、添付の特許請求の範囲、および図面から明らかとなるであろう。
【００１４】
次に、添付の図面を参照しながら、特定の実施形態が例として説明される。
【図面の簡単な説明】
【００１５】
【図１】レガシーＬＴＥワイヤレス通信システムでのアクティブモードモビリティについてのシグナリング図である。
【図２】特定の実施形態によるワイヤレスネットワークのブロック図を示す図である。
【図３】特定の実施形態によるユーザ機器のブロック図である。
【図４】特定の実施形態によるハンドオーバのシグナリング図である。
【図５】特定の実施形態による、ダウンリンク受信信号測定値に基づく条件付きハンドオーバ実行のシグナリング図である。
【図６】特定の実施形態による、ワイヤレスハンドオーバのための方法のフローチャートである。
【図７】特定の実施形態による、ワイヤレスデバイスおよびネットワークノードの機能単位のブロック図である。
【発明を実施するための形態】
【００１６】
これから、特許請求の範囲によって企図される実施形態のいくつかが、添付の図面を参照しながら以下でより完全に説明される。しかしながら、特許請求の範囲内には他の実施形態が含まれ、特許請求の範囲が本明細書に記載の実施形態のみに限定されると解釈すべきではなく、むしろ、これらの実施形態は、本開示が本発明の概念の範囲を当業者に伝達するのを助けるために、例として与えられる。説明全体にわたって同様の番号は同様の要素を指す。
【００１７】
本明細書で説明される実施形態は、任意の適切な構成要素を使用して、任意の適切なタイプのシステムで実装され得るが、本明細書で説明される特定の実施形態は、図２に示される例示的ワイヤレス通信ネットワークなどのワイヤレスネットワークで実装され得る。図２に示される例示的実施形態では、ワイヤレス通信ネットワークは、１つまたは複数のワイヤレスデバイスに通信および他のタイプのサービスを提供する。図示される実施形態では、ワイヤレス通信ネットワークは、ワイヤレス通信ネットワークによって、およびワイヤレス通信ネットワークを通じて提供されるサービスへのワイヤレスデバイス２１０のアクセスおよび／またはサービスの使用を容易にするネットワークノード２２０および２２０ａを含む。ワイヤレス通信ネットワークは、ワイヤレスデバイスの間、またはワイヤレスデバイスと、固定電話などの別の通信デバイスとの間の通信をサポートするのに適した追加の要素をさらに含み得る。
【００１８】
ネットワーク２５０は、１つまたは複数のバックボーンネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、大都市圏ネットワーク、およびデバイス間の通信を可能にするための他のネットワークを含み得る。
【００１９】
ワイヤレス通信ネットワークは、任意のタイプの通信ネットワーク、電気通信ネットワーク、データネットワーク、セルラネットワーク、および／または無線ネットワーク、あるいは他のタイプのシステムを表し得る。特定の実施形態では、ワイヤレス通信ネットワークは、特定の規格または他のタイプの事前定義された規則もしくは手順に従って動作するように設定され得る。したがって、ワイヤレス通信ネットワークの特定の実施形態は、Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  （ＵＭＴＳ）、Ｌｏｎｇ  Ｔｅｒｍ  Ｅｖｏｌｕｔｉｏｎ  （ＬＴＥ）、および／または他の適切な２Ｇ、３Ｇ、４Ｇ、もしくは５Ｇ規格などの通信規格、ＩＥＥＥ  ８０２．１１規格などのワイヤレスローカルエリアネットワーク（ＷＬＡＮ）規格、ならびに／あるいはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、Ｂｌｕｅｔｏｏｔｈ、および／またはＺｉｇＢｅｅ規格などの任意の他の適切なワイヤレス通信規格を実装し得る。
【００２０】
図２には、特定の実施形態による、ネットワークノード２２０およびワイヤレスデバイス（ＷＤ）２１０のより詳細な図を含むワイヤレスネットワークが示されている。簡単にするために、図２は、ネットワーク２５０、ネットワークノード２２０および２２０ａ、ならびにＷＤ２１０のみを示す。ネットワークノード２２０の詳細な図は、インターフェース２２１、アンテナ２２１ａ（集合的にインターフェースまたはワイヤレスインターフェースと呼ばれることがある）、プロセッサ２２２、およびストレージ２２３のハードウェア構成要素を備える。同様に、ＷＤ２１０の詳細な図は、インターフェース２１１およびアンテナ２１１ａ（集合的にインターフェースまたはワイヤレスインターフェースと呼ばれることがある）、プロセッサ２１２、およびストレージ２１３のハードウェア構成要素を備える。これらの構成要素は、ワイヤレスネットワーク内のワイヤレス接続を提供すること、および／またはビームベースのネットワーク内のワイヤレス接続のハンドオーバを容易にすることなどの、ネットワークノードおよび／またはワイヤレスデバイス機能を提供するために協働し得る。異なる実施形態では、ワイヤレスネットワークは、ワイヤード接続またはワイヤレス接続を介してデータおよび／または信号の通信を容易にし、またはそれに参加し得る任意の数のワイヤードもしくはワイヤレスネットワーク、ネットワークノード、基地局、コントローラ、ワイヤレスデバイス、中継局、および／または任意の他の構成要素を備え得る。
【００２１】
ネットワークノードは、ワイヤレスデバイスへのワイヤレスアクセスが可能であり、かつ／またはワイヤレスアクセスを提供する、あるいはワイヤレス通信ネットワークにアクセスしたワイヤレスデバイスに何らかのサービスを提供するワイヤレス通信ネットワーク内のワイヤレスデバイスおよび／または他の機器と直接的または間接的に通信することができる、通信するように設定された、通信するように構成された、かつ／または通信するように動作可能な機器を指すことがある。限定はしないが、ネットワークノードの例には、アクセスポイント（ＡＰ）、具体的には無線アクセスポイント、および無線基地局などの基地局（ＢＳ）が含まれる。無線基地局の特定の例は、ノードＢ、およびエボルブドノードＢ（ｅＮＢ）を含む。基地局は、基地局が提供するカバレッジの量（または、別の言い方をすれば、基地局の送信電力レベル）に基づいて分類され得、したがって基地局は、フェムト基地局、ピコ基地局、マイクロ基地局、またはマクロ基地局とも呼ばれ得る。ネットワークノードはまた、中央デジタルユニットおよび／またはリモート無線ヘッド（ＲＲＨ）とも呼ばれることのあるリモートラジオユニット（ＲＲＵ）などの分散無線基地局の１つまたは複数の（またはすべての）部分をも含み得る。そのようなリモートラジオユニットは、アンテナ一体型ラジオとしてアンテナと一体化されることがあり、またはされないことがある。分散無線基地局の各部分は、分散アンテナシステム（ＤＡＳ）内のノードとも呼ばれることがある。特定の非限定的な例として、基地局は、リレーノードまたはリレーノードを制御するリレードナーノードであり得る。
【００２２】
ネットワークノードのさらに別の例は、ＭＳＲ  ＢＳなどのマルチスタンダード無線（ＭＳＲ）ラジオ機器、無線ネットワークコントローラ（ＲＮＣ）や基地局コントローラ（ＢＳＣ）などのネットワークコントローラ、送受信基地局（ＢＴＳ）、送信ポイント、送信ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、位置決めノード（例えば、Ｅ−ＳＭＬＣ）、および／またはＭＤＴを含む。
【００２３】
図２では、ネットワークノード２２０の構成要素は、単一のより大きいボックス内に配置された単一のボックスとして示される。しかしながら実際には、ネットワークノードは、単一の図示される構成要素を構成する複数の異なる物理構成要素を備え得る（例えば、インターフェース２２１は、ワイヤード接続用のワイヤを結合するための端末と、ワイヤレス接続用の無線トランシーバとを備え得る）。別の例として、ネットワークノード２
２０は、複数の異なる物理的に別々の構成要素がその中で対話してネットワークノード２２０の機能を提供する仮想ネットワークノードであり得る（例えば、プロセッサ２２２は、３つの別々エンクロージャ内に配置された３つの別々のプロセッサを備え得、各プロセッサは、ネットワークノード２２０の特定のインスタンスについての異なる機能の任を担う）。同様に、ネットワークノード２２０は、複数の物理的に別々の構成要素（例えば、ＮｏｄｅＢ構成要素およびＲＮＣ構成要素、ＢＴＳ構成要素およびＢＳＣ構成要素など）から構成され得、構成要素は、それ自体のプロセッサ、ストレージ、およびインターフェース構成要素をそれぞれ有し得る。ネットワークノード２２０が複数の別々の構成要素（例えば、ＢＴＳおよびＢＳＣ構成要素）を備えるいくつかのシナリオでは、別々の構成要素のうちの１つまたは複数が、いくつかのネットワークノードの間で共有され得る。例えば、単一のＲＮＣが複数のＮｏｄｅＢを制御し得る。そのようなシナリオでは、それぞれの固有のＮｏｄｅＢおよびＲＮＣ対が、別々のネットワークノードと見なされ得る。いくつかの実施形態では、ネットワークノード２２０は、複数の無線アクセス技術（ＲＡＴ）をサポートするように設定され得る。そのような実施形態では、いくつかの構成要素が複製され得（例えば、異なるＲＡＴについて別々のストレージ２２３）、いくつかの構成要素が再利用され得る（例えば、同一のアンテナ２２１ａがＲＡＴによって共有され得る）。
【００２４】
プロセッサ２２２は、マイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソースのうち１つまたは複数の組合せ、あるいは単独で、またはストレージ２２３などの他のネットワークノード２２０構成要素と共に、ネットワークノード２２０機能を提供するように動作可能なハードウェアおよびソフトウェアおよび／または符号化された論理の組合せであり得る。例えば、プロセッサ２２２は、ストレージ２２３内に記憶された命令を実行し得る。そのような機能は、本明細書で開示される特徴または利点のいずれかを含む、本明細書で論じられる様々なワイヤレス特徴をＷＤ２１０などのワイヤレスデバイスに提供することを含み得る。
【００２５】
ストレージ２２３は、限定はしないが、永続的ストレージ、固体メモリ、リモートに取り付けられたメモリ、磁気媒体、光媒体、ランダムアクセスメモリ（ＲＡＭ）、読取り専用メモリ（ＲＯＭ）、取外し可能媒体、または任意の他の適切なローカルもしくはリモートメモリ構成要素を含む、任意の形態の非一時的揮発性または不揮発性コンピュータ可読メモリを備え得る。ストレージ２２３は、ネットワークノード２２０によって利用される、ソフトウェアおよび／または符号化された論理を含む、任意の適切な命令、データ、または情報を記憶し得る。ストレージ２２３は、プロセッサ２２２によって行われた任意の計算、および／またはインターフェース２２１を介して受信された任意のデータを記憶するために使用され得る。
【００２６】
ネットワークノード２２０はまた、ネットワークノード２２０、ネットワーク２５０、および／またはＷＤ２１０の間のシグナリングおよび／またはデータのワイヤードまたはワイヤレス通信で使用され得るインターフェース２２１をも備える。例えば、インターフェース２２１は、ネットワークノード２２０がワイヤード接続を介してネットワーク２５０からデータを送り、受信することを可能とするために必要とされ得る任意のフォーマット、コーディング、または変換を実施し得る。インターフェース２２１はまた、アンテナ２２１ａに結合され、またはアンテナ２２１ａの一部であり得る無線送信機および／または受信機をも含み得る。無線は、ワイヤレス接続を介して他のネットワークノードまたはＷＤに送り出されるべきデジタルデータを受信し得る。無線は、適切なチャネルおよび帯域幅パラメータを有する無線信号にデジタルデータを変換し得る。次いで無線信号は、アンテナ２２１ａを介して適切な受信側（例えば、ＷＤ２１０）に送信され得る。無線信号は１つまたは複数のビームを含み得る。
【００２７】
アンテナ２２１ａは、ワイヤレスにデータおよび／または信号を送信および受信することのできる任意のタイプのアンテナであり得る。いくつかの実施形態では、アンテナ２２１ａは、例えば１ＧＨｚから１００ＧＨｚの間の無線信号を送信／受信するように動作可能な１つまたは複数の全方向性アンテナ、セクタアンテナ、またはパネルアンテナを備え得る。全方向性アンテナは、任意の方向の無線信号を送信／受信するために使用され得、セクタアンテナは、特定のエリア内のデバイスから無線信号を送信／受信するために使用され得、パネルアンテナは、比較的直線に無線信号を送信／受信するために使用される視線アンテナであり得る。
【００２８】
ワイヤレスデバイス（ＷＤ）は、ネットワークノードおよび／または他のワイヤレスデバイスとワイヤレスに通信することが可能であり、そのように設定され、構成され、かつ／または動作可能であるデバイスを指し得る。ワイヤレスに通信することは、電磁的信号、電波、赤外線信号、および／または大気を通じて情報を搬送するのに適した他のタイプの信号を使用してワイヤレス信号を送信および／または受信するものであり得る。特定の実施形態では、ワイヤレスデバイスは、直接的な人間の対話なしに情報を送信および／または受信するように設定され得る。例えば、ワイヤレスデバイスは、所定のスケジュールで、内部または外部イベントによってトリガされたとき、またはネットワークからの要求に応答して、ネットワークに情報を送信するように設計され得る。ワイヤレスデバイスの例には、限定はしないが、スマートフォンなどのユーザ機器（ＵＥ）が含まれる。別の例には、ワイヤレスカメラ、ワイヤレス対応タブレットコンピュータ、ラップトップ組込み機器（ＬＥＥ）、ラップトップ搭載機器（ＬＭＥ）、ＵＳＢドングル、および／またはワイヤレス顧客構内機器（ＣＰＥ）が含まれる。いくつかの実施形態では、ワイヤレスデバイスは、例えばサイドリンク通信用の３ＧＰＰ規格を実装することによって、デバイス間（Ｄ２Ｄ）通信をサポートし得、このケースではＤ２Ｄ通信デバイスと呼ばれることがある。
【００２９】
１つの特定の例として、ワイヤレスデバイスは、第３世代パートナーシッププロジェクト（３ＧＰＰ）のＧＳＭ、ＵＭＴＳ、ＬＴＥ、および／または５Ｇ規格などの、３ＧＰＰによって公表された１つまたは複数の通信規格に従う通信のために設定されたＵＥを表し得る。ＵＥは、関連するデバイスを所有および／または操作する人間のユーザという意味での「ユーザ」を必ずしも有さないことがある。その代わりに、ＵＥは、人間のユーザへの販売、または人間のユーザによる操作が意図されるが、当初は特定の人間のユーザに関連付けられないことのある、スマートセンサやスマートメータなどのデバイスを表し得る。ＷＤに関連して説明される特徴、機能、ステップ、および利点は、ＵＥに等しく適用可能であり、逆も同様である。
【００３０】
さらに別の特定の例として、モノのインターネット（ＩＯＴ）シナリオでは、ワイヤレスデバイスは、監視および／または測定を実施し、そのような監視および／または測定の結果を別のワイヤレスデバイスおよび／またはネットワークノードに送信するマシンまたは他のデバイスを表し得る。このケースでは、ワイヤレスデバイスはマシンツーマシン（Ｍ２Ｍ）デバイスであり得、Ｍ２Ｍデバイスは、３ＧＰＰの文脈ではマシン型通信（ＭＴＣ）デバイスと呼ばれることがある。１つの特定の例として、ワイヤレスデバイスは、３ＧＰＰナローバンドモノのインターネット（ＮＢ−ＩｏＴ）規格を実装するＵＥであり得る。そのようなマシンまたはデバイスの特定の例は、センサ、電力計などの計量デバイス、産業機械、またはホームアプライアンスもしくはパーソナルアプライアンス、例えば、冷蔵庫、テレビジョン、腕時計などのパーソナルウェアラブルなどである。他のシナリオでは、ワイヤレスデバイスは、その動作ステータスまたはその動作に関連する他の機能を監視および／またはレポートすることができる車両または他の機器を表し得る。
【００３１】
前述のようなワイヤレスデバイスはワイヤレス接続のエンドポイントを表し得、そのケースでは、デバイスはワイヤレス端末と呼ばれることがある。さらに、前述のようなワイヤレスデバイスはモバイルであり得、そのケースでは、ワイヤレスデバイスはモバイルデバイスまたはモバイル端末と呼ばれることがある。
【００３２】
図２に示されるように、ＷＤ２１０は、ネットワークノード２２０または２２０ａおよび／または他のＷＤなどのネットワークノードとの間でデータおよび／または信号をワイヤレスに送り、受信することのできる、ワイヤレスエンドポイント、移動局、携帯電話、ワイヤレスローカルループフォン、スマートフォン、ユーザ機器、デスクトップコンピュータ、ＰＤＡ、セルフォン、タブレット、ラップトップ、ＶｏＩＰフォン、またはハンドセットを含む任意のタイプの前述のワイヤレスデバイスであり得る。ネットワークノード２２０と同様に、ＷＤ２１０の構成要素が、単一のより大きいボックス内に配置された単一のボックスとして示されているが、実際には、ワイヤレスデバイスは、単一の図示される構成要素を構成する複数の異なる物理構成要素を備え得る（例えば、ストレージ２１３は複数の別個のマイクロチップを備え得、各マイクロチップは全記憶容量の一部を表す）。さらに、いくつかの実施形態では、いくつかの構成要素はＷＤ２１０からリモートであり得る（例えば、ストレージ２１３は何らかのローカルストレージおよび何らかのクラウドベースの記憶容量を含み得る）。
【００３３】
プロセッサ２１２は、マイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソースのうち１つまたは複数の組合せ、あるいは単独で、またはストレージ２１３などの他のＷＤ２１０構成要素と共に、ＷＤ２１０機能を提供するように動作可能なハードウェアおよびソフトウェアおよび／または符号化された論理の組合せであり得る。そのような機能は、本明細書で開示される特徴または利点のいずれかを含む、本明細書で論じられる様々なワイヤレス特徴を提供することを含み得る。
【００３４】
ストレージ２１３は、限定はしないが、永続的ストレージ、固体メモリ、リモートに取り付けられたメモリ、磁気媒体、光媒体、ランダムアクセスメモリ（ＲＡＭ）、読取り専用メモリ（ＲＯＭ）、取外し可能媒体、または任意の他の適切なローカルもしくはリモートメモリ構成要素を含む、任意の形態の揮発性または不揮発性メモリであり得る。ストレージ２１３は、ＷＤ２１０によって利用される、ソフトウェアおよび符号化された論理を含む、任意の適切なデータ、命令、または情報を記憶し得る。ストレージ２１３は、プロセッサ２１２によって行われた任意の計算、および／またはインターフェース２１１を介して受信された任意のデータを記憶するために使用され得る。
【００３５】
インターフェース２１１は、ＷＤ２１０とネットワークノード２２０との間のシグナリングおよび／またはデータのワイヤレス通信で使用され得る。例えば、インターフェース２１１は、ＷＤ２１０がワイヤレス接続を介してネットワークノード２２０からデータを送り、受信することを可能とするために必要とされ得る任意のフォーマット、コーディング、または変換を実施し得る。インターフェース２１１はまた、アンテナ２１１ａまたはアンテナ２１１ａの一部に結合され得る無線送信機および／または受信機をも含み得る。無線は、ワイヤレス接続を介してネットワークノード２２０に送り出されるべきデジタルデータを受信し得る。無線は、適切なチャネルおよび帯域幅パラメータを有する無線信号にデジタルデータを変換し得る。次いで無線信号は、アンテナ２１１ａを介してネットワークノード２２０に送信され得る。
【００３６】
アンテナ２１１ａは、ワイヤレスにデータおよび／または信号を送信および受信することのできる任意のタイプのアンテナであり得る。いくつかの実施形態では、アンテナ２１１ａは、例えば１ＧＨｚから１００ＧＨｚの間の無線信号を送信／受信するように動作可能な１つまたは複数の全方向性アンテナ、セクタアンテナ、またはパネルアンテナを備え得る。簡単にするために、アンテナ２１１ａは、ワイヤレス信号が使用されている範囲で、インターフェース２１１の一部と見なされ得る。
【００３７】
図３は、ＵＥのブロック図を示す。図３に示す通り、ＵＥ３００は例示的ワイヤレスデバイスである。ＵＥ３００は、アンテナ３０５、無線フロントエンド回路３１０、処理回路３１５、入力インターフェース３２０、出力インターフェース３２５、コンピュータ可読記憶媒体３３０、および電源３３５を含む。アンテナ３０５は、１つまたは複数のアンテナまたはアンテナアレイを含み得、ワイヤレス信号を送り、かつ／または受信するように設定され、無線フロントエンド回路３１０に接続される。いくつかの代替実施形態では、ＵＥ３００はアンテナ３０５を含まないことがあり、その代わりに、アンテナ３０５はＵＥ３００とは別々のものであり、インターフェースまたはポートを通じてＵＥ３００に接続可能であり得る。
【００３８】
無線フロントエンド回路３１０は、様々なフィルタおよび増幅器を備え得、アンテナ３０５および処理回路３１５に接続され、アンテナ３０５と処理回路３１５との間で通信される信号を調整するように設定される。いくつかの代替実施形態では、ＵＥ３００は無線フロントエンド回路３１０を含まないことがあり、その代わりに処理回路３１５が、無線フロントエンド回路３１０なしでアンテナ３０５に接続され得る。
【００３９】
処理回路３１５は、無線周波数（ＲＦ）トランシーバ回路、ベースバンド処理回路、およびアプリケーション処理回路のうちの１つまたは複数を含み得る。いくつかの実施形態では、ＲＦトランシーバ回路、ベースバンド処理回路、およびアプリケーション処理回路は、別々のチップ上、またはチップのセット上にあり得る。代替実施形態では、ベースバンド処理回路およびアプリケーション処理回路の部分またはすべてが、１つのチップ、またはチップのセット内に組み合わされ得、ＲＦトランシーバ回路は、別々のチップ上、またはチップのセット上にあり得る。さらに代替の実施形態では、ＲＦトランシーバ回路およびベースバンド処理回路の部分またはすべては、同一のチップ、またはチップのセット上にあり得、アプリケーション処理回路は別々のチップ、またはチップのセット上にあり得る。さらに別の代替実施形態では、ＲＦトランシーバ回路、ベースバンド処理回路、およびアプリケーション処理回路の部分またはすべてが、同一のチップ、またはチップのセット内に組み合わされ得る。処理回路３１５は、例えば、１つまたは複数の中央演算処理装置（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含み得る。
【００４０】
特定の実施形態では、ワイヤレスデバイスまたはＵＥによって提供されるものとして本明細書で説明される機能のいくつかまたはすべてが、コンピュータ可読記憶媒体３３０上に記憶された命令を実行する処理回路３１５によって提供され得る。代替実施形態では、機能のいくつかまたはすべてが、ハードワイヤード式などで、コンピュータ可読媒体上に記憶された命令を実行することなく、処理回路３１５によって提供され得る。それらの特定の実施形態のいずれでも、コンピュータ可読記憶媒体上に記憶された命令を実行するか否かに関わらず、処理回路は、記載の機能を実施するように設定されると言うことができる。そのような機能によって提供される利点は、処理回路３１５単独、またはＵＥ３００の他の構成要素に限定されず、ワイヤレスデバイスによって全体として享受され、かつ／またはエンドユーザおよびワイヤレスネットワークによって全般的に享受される。
【００４１】
アンテナ３０５、無線フロントエンド回路３１０、および／または処理回路３１５は、ワイヤレスデバイスによって実施されるものとして本明細書で説明される任意の受信動作を実施するように設定され得る。任意の情報、データ、および／または信号が、ネットワークノードおよび／または別のワイヤレスデバイスから受信され得る。
【００４２】
処理回路３１５は、ワイヤレスデバイスまたはＵＥによって実施されるものとして本明細書で説明される任意の決定動作を実施するように設定され得る。処理回路３１５によって実施される決定は、例えば処理回路３１５によって得られた情報を他の情報に変換することによって、得られた情報を処理すること、得られた情報または変換された情報をワイヤレスデバイス内に記憶された情報と比較すること、および／または得られた情報または変換された情報に基づいて１つまたは複数の動作を実施すること、ならびに前記処理の結果として決定を行うことを含み得る。
【００４３】
アンテナ３０５、無線フロントエンド回路３１０、および／または処理回路３１５は、ワイヤレスデバイスによって実施されるものとして本明細書で説明される任意の送信または受信動作を実施するように設定され得る。任意の情報、データ、および／または信号が、ネットワークノードおよび／または別のワイヤレスデバイスまたはＵＥに送信または受信され得る。これらの構成要素は、データおよび／または信号の送信または受信のために使用したとき、集合的にインターフェースと呼ばれることがある。
【００４４】
コンピュータ可読記憶媒体３３０は一般に、論理、規則、コード、テーブルなどのうちの１つまたは複数を含む、コンピュータプログラム、ソフトウェア、アプリケーションなどの命令、および／またはプロセッサによって実行することのできる他の命令を記憶するように動作可能である。コンピュータ可読記憶媒体３３０の例には、コンピュータメモリ（例えば、ランダムアクセスメモリ（ＲＡＭ）または読取り専用メモリ（ＲＯＭ））、大容量記憶媒体（例えば、ハードディスク）、取外し可能記憶媒体（例えば、コンパクトディスク（ＣＤ）またはデジタルビデオディスク（ＤＶＤ））、ならびに／あるいは処理回路３１５によって使用され得る情報、データ、および／または命令を記憶する任意の他の揮発性または不揮発性の非一時的コンピュータ可読および／またはコンピュータ実行可能メモリデバイスが含まれる。いくつかの実施形態では、処理回路３１５およびコンピュータ可読記憶媒体３３０は一体化されると見なされ得る。
【００４５】
図２には示されていないが、図３には入力インターフェース３２０および出力インターフェース３２５が示されている。これらは、入力情報を受信し、出力情報を提供するように設定され得る。例えば、ＷＤ２１０に関連するユーザは、入力インターフェース３２０を使用して、出力インターフェース３２５上の再生のためにＷＤ２１０にストリーミングされるべきオーディオまたはビデオコンテンツを選択し得る。ＷＤ２１０がソースセルに関連する地理的エリアとターゲットセルに関連する地理的エリアとの間を移動するとき、ストリーミングされるコンテンツは、ＷＤ２１０にストリーミングされ得る。
【００４６】
示されるように、ＵＥ３００は入力インターフェース３２０を含む。入力インターフェース３２０は、ＵＥ３００への情報の入力を可能にするように設定された任意のデバイスおよび回路を備え得、処理回路３１５が入力情報を処理することを可能にするように処理回路３１５に接続される。例えば、入力インターフェース３２０は、マイクロフォン、近接センサもしくは他のセンサ、キー／ボタン、タッチディスプレイ、１つまたは複数のカメラ、ＵＳＢポート、または他の入力要素を含み得る。
【００４７】
出力インターフェース３２５は、ＵＥ３００からの情報の出力を可能にするように設定された任意のデバイスおよび回路を含み得、処理回路３１５がＵＥ３００からの情報を出力することを可能にするように処理回路３１５に接続される。例えば、出力インターフェース３１５は、スピーカ、ディスプレイ、振動回路、ＵＳＢポート、ヘッドフォンインターフェース、または他の出力要素を含み得る。１つまたは複数の入力インターフェース３２０および出力インターフェース３２５を使用して、ＵＥ３００は、エンドユーザおよび／またはワイヤレスネットワークと通信し、それらが本明細書で説明される機能から恩恵を受けることを可能にし得る。
【００４８】
図２には示されていないが、図３には、ＷＤ２１０が電源３３５をも備えることが示されている。電源３３５は、ワイヤレスインターフェース２１１、処理回路２１２、ストレージ２１３、入力インターフェース３２０、出力インターフェース３２５、および動作するために電力に依拠するＷＤ２１０の任意の他の構成要素などのＷＤ２１０の様々な構成要素に電力を供給するように設定され得る。
【００４９】
示されるように、ＵＥ３００は電源３３５を含む。電源３３５は電力管理回路を備え得る。電源３３５は、電力供給から電力を受け得、電力供給は、電源３３５内に含まれ、または電源３３５の外部にあり得る。例えば、ＵＥ３００は、電源３３５に接続され、または電源３３５内に一体化される電池またはバッテリパックの形態の電力供給を備え得る。光起電デバイスなどの他のタイプの電源も使用され得る。別の例として、ＵＥ３００は、電気ケーブルなどの入力回路またはインターフェースを介して外部電力供給（電気アウトレットなど）に接続可能であり得、それによって外部電力供給が電源３３５に電力を供給する。電源３３５は、無線フロントエンド回路３１０、処理回路３１５、および／またはコンピュータ可読記憶媒体３３０に接続され得、処理回路３１５を含むＵＥ３００に、本明細書で説明される機能を実施するための電力を供給するように設定され得る。
【００５０】
ＵＥ３００はまた、例えばＧＳＭ、ＷＣＤＭＡ、ＬＴＥ、ＮＲ、Ｗｉ−Ｆｉ、Ｂｌｕｅｔｏｏｔｈワイヤレス技術などの、ワイヤレスデバイス３００内に統合される相異なるワイヤレス技術のための処理回路３１５、コンピュータ可読記憶媒体３３０、無線回路３１０、および／またはアンテナ３０５の複数のセットをも含み得る。これらのワイヤレス技術は、ワイヤレスデバイス３００内の同一のチップもしくは異なるチップまたはチップおよび他の構成要素のセット内に統合され得る。
【００５１】
ＵＥ３００の代替実施形態は、本明細書で説明される機能、および／または本明細書で説明される解決策をサポートするのに必要な任意の機能のいずれかを含むＵＥの機能のいくつかの側面を提供する任を担い得る、図３に示されるもの以外の追加の構成要素を含み得る。
【００５２】
以下の説明は、どのように図２および３の構成要素が本明細書で開示されるいくつかの実施形態のワイヤレスハンドオーバの特徴および利点を提供するように働き得るかを示す助けとなり得る。簡単のために、以下の説明は、図２の構成要素に焦点を当てるが、図３の対応する構成要素に等しく適用可能である。以下で説明されるシナリオでは、ネットワークノード２２０はワイヤレスアクセスのためのＷＤ２１０の電流源であるので、ネットワークノード２２０はソースネットワークノードと呼ばれることがある。ソースネットワークノード２２０は１つまたは複数のセルに関連付けられ得る。各セルは、特定の地理的エリアに関連付けられ、特定の地理的エリアについてのワイヤレスカバレッジを提供する。ＷＤ２１０によって現在使用されているセルは、ソースセルと呼ばれることがあり、ＷＤ２１０がハンドオーバされるセルは、ターゲットセルと呼ばれることがある。ソースセルとターゲットセルの両方が同一のネットワークノードによって提供され得るが、本明細書では簡単のために、ソースセルがネットワークノード２２０に関連付けられ、ターゲットセルがネットワークノード２２０ａに関連付けられると仮定され得る。ターゲットネットワークノード２２０ａが、ターゲットセル内のワイヤレスカバレッジを提供する際に複数のビームを使用することも仮定され得る。
【００５３】
インターフェース２１１は、エアインターフェースを介してデータ、メッセージ、シグナリング、および／または他の情報（集合的に「データ」）を送り、受信するのに適したワイヤレスインターフェースを含み得る。いくつかの実施形態では、ワイヤレスインターフェース２１１は、ネットワークノード２２０から第１のハンドオーバメッセージを受信するように設定され得る。いくつかの実施形態では、第１のハンドオーバメッセージは、ソースセルからターゲットセルへのハンドオーバでＷＤ２１０によって使用され得る複数の情報を含み得る。例えば、ハンドオーバメッセージは、ターゲットセルの識別と、ターゲットセルについてのターゲットネットワークノード２２０ａによって提供されるビームに関係する情報などの、ターゲットセルに関連するアクセス情報とを含み得る。提供されるビームは、ターゲットセルに関連するすべてのビーム、またはそのサブセットを含み得る。サブセットは、所定のサブセット（例えば、ハンドオーバのために予約されたいくつかのビーム）であり得、または１つまたは複数の条件（例えば、ターゲットセルに関連するビームの現負荷）に基づいて選択され得る。いくつかの実施形態では、アクセス情報は、ターゲットセルに関連するランダムアクセスチャネル（ＲＡＣＨ）情報であり得る。いくつかの実施形態では、アクセス情報は、ターゲットセルの許容されるビームのそれぞれにマッピングされるランダムアクセスプリアンブルを含み得る。いくつかの実施形態では、アクセス情報は、共通ランダムアクセス設定情報および許容されるビームのための専用ランダムアクセスリソースを含み得る。許容されるビームは、ＷＤ２１０がターゲットセルにアクセスするために使用するのが許可されるビームであり得る。許容されるビームは、ターゲットセルに関連するビームのサブセット、またはターゲットセルに関連する利用可能なビームであり得る。
【００５４】
ハンドオーバメッセージは、ソースネットワークノード２２０によって決定および送信され得る。より具体的には、ソースネットワークノード２２０のインターフェース２２１は、ターゲットネットワークノード２２０ａから一定の情報（例えば、利用可能なビーム、許容されるビーム、ビームについての設定／同期情報など）を受信し得る。次いで、処理回路２２２が、情報をＷＤ２１０からの情報と共に使用して、ＷＤ２１０に提供されるハンドオーバメッセージ内に含まれるべきアクセス情報を決定し得る。
【００５５】
ワイヤレスデバイス２１０の処理回路２１２は、ターゲットセルの１つまたは複数のビームの中から少なくとも１つのビームを識別するために使用され得る。ただ１つのビームが提供される場合、そのビームは識別されたビームであり得、複数のビームが提供される場合、プロセッサ２１２は、ＷＤ２１０に最も適したビームを決定し得る。ビームは、第１のハンドオーバメッセージからのターゲットセルの識別およびアクセス情報に基づいて識別され得る。いくつかの実施形態および／またはシナリオでは、ビームは、ターゲットネットワークノードによって提供されるビームで行われる測定に基づいて識別され得る。測定は、インターフェース２１１によって受信される任意の／すべてのビームに対して、またはいくつかの指定されたビームに対して行われ得る。ビームは、ＷＤ２１０に提供され、事前設定されてストレージ２１３内に記憶され、またはその他の方式でＷＤ２１０に提供されるメッセージにおいてなどの、様々な異なる方式のいずれかで指定され得る。いくつかの実施形態では、指定されたビームは、ターゲットセルのビームのすべてよりも少ないことがあり、またはＷＤ２１０によって検出可能なビームのすべてよりも少ないことがある。いくつかの実施形態では、ＷＤ２１０は、ターゲットセルのビームの１つまたは複数の特性を測定し、次いでインターフェース２１１を介してソースネットワークノード２２０にレポートを送り得る。レポートからの情報は、ビームを識別する際に使用され得る。
【００５６】
処理回路２１２が適切なビームを選択し、任意の他のハンドオーバ前提条件が満たされると、ワイヤレスインターフェース２１１は、識別された少なくとも１つのビームを使用してターゲットセルにアクセスするように設定され得る。いくつかの実施形態では、ワイヤレスインターフェース２１１は、コンテンションベースのランダムアクセス手順を使用してターゲットセルにアクセスし得る。このアクセスは、ハンドオーバメッセージで受信された情報に基づき得る。いくつかの実施形態では、ワイヤレスインターフェース２１１は、ターゲットセルに関連するシステム情報（例えば、ランダムアクセスパラメータまたはＲＡＣＨ）をまず読み取る必要なしに、ターゲットセルにアクセスし得る。すなわち、ソースノード２２０は、ターゲットノード２２０ａからのその情報を必要とすることなくＷＤ２１０がターゲットセルにアクセスすることを可能にするように、アクセス情報内に十分な詳細を含み得る。
【００５７】
図２および３に関連して上記で説明された構成要素は、レガシーモビリティ手順（図１に図示）を修正するために使用され得る。図４は、特定の実施形態によるハンドオーバ手順のシグナリング図を示す。信号の順序はレガシー手順と同様であるが、情報と、どのように情報が決定され、使用されるかは異なる。実施形態に応じて、これらの違いは、ハンドオーバコマンド４３０内に含まれる情報と、対応する同期およびランダムアクセス手順４４０とに基づいて論じられ得る。いくつかの実施形態では、図４に示されるデバイスは、前述と同様の構成要素を備え、同様の機能を提供し得、ＵＥ４１０はＷＤ２１０に対応し得、サービングｇＮＢ４２０はネットワークノード２２０に対応し得、ターゲットｇＮＢ４２０ａはネットワークノード２２０ａに対応し得る。
【００５８】
いくつかの実施形態では、ＵＥ４１０にターゲットｇＮＢ４２０ａの識別を提供することに関連して、ＨＯコマンド４３０は、ターゲットｇＮＢ４２０ａに関連するセル識別のみを含み得る。セル識別は、例えばモビリティ参照信号（ＭＲＳ）設定を介して、明示的または暗黙的にシグナリングされ得る。ＨＯコマンド４３０は、ＲＲＣＣｏｎｎｅｃｔｉｏｎＲｅｃｏｎｆｉｇｕｒａｔｉｏｎおよびｍｏｂｉｌｉｔｙＣｏｎｔｒｏｌＩｎｆｏを含み得る。セル識別がＵＥ４１０のインターフェースによって受信され、処理されると、ＵＥ４１０内のプロセッサが、ＵＥ４１０のインターフェースによって検出された正しいセル識別を有する任意のビームを選択し得る。次いで、ＵＥ４１０は、システム情報からランダムアクセスパラメータを読み取り、選択されたビームに関する初期同期およびランダムアクセス４４０のためにランダムアクセスパラメータを使用する。いくつかの実施形態では、ランダムアクセスは、コンテンションベースのランダムアクセス手順であり得る。これらの実施形態は、ＨＯコマンド４３０内の必要とするシグナリングおよびネットワーク設定が比較的少量であるという利点を有するが、その結果、同時にランダムアクセスを求めて競合する他のユーザがいる場合、ハンドオーバ障害が生じ得る。
【００５９】
いくつかの実施形態では、ターゲットｇＮＢ４２０ａのセル識別に加えて、ＨＯコマンド４３０は、ターゲットセルについての物理ランダムアクセスチャネル（ＰＲＡＣＨ）設定情報をさらに含み得る。この情報は、ＨＯコマンド４３０で明示的にシグナリングされ得、またはモビリティ参照信号の設定などを介して、他のパラメータから導出され得る。シナリオおよび／または実施形態に応じて、異なるビームまたはビームグループについて異なるランダムアクセス（ＲＡ）パラメータを可能にするように、複数のＰＲＡＣＨ設定が提供され得る。ＵＥ４１０のインターフェースはＨＯコマンド４３０を受信し得、次いでＵＥ４１０のプロセッサが、正しいセル識別に関連するビームを自律的に選択し得る。次いで、ＵＥ４１０は、選択されたビームに関する初期同期およびランダムアクセス４４０のために、ＨＯコマンド４３０から提供されたＰＲＡＣＨパラメータを使用する。これは、ネットワークがＵＥ４１０についての専用のハンドオーバ設定を提供することを可能にするという利点を有するが、ＨＯコマンド４３０の部分として何らかの追加の設定およびシグナリングを必要とする。
【００６０】
いくつかの実施形態では、ターゲットｇＮＢ４２０ａのセル識別およびＰＲＡＣＨ設定情報に加えて、ＨＯコマンド４３０は、ターゲットｇＮＢ４２０ａからの許容されるビームのリストをさらに含み得る。許容されるビームのリストは、ビームＩＤのリストを含み得る。ビームＩＤのリストは、ターゲットｇＮＢ４２０ａに関連するすべてのビームより少ないことがある。このターゲットセル情報（ビームのリストを含む）が明示的にシグナリングされ得、またはモビリティ参照信号の設定などの他のパラメータから導出され得る。シナリオおよび／または実施形態に応じて、異なるビームまたはビームグループについて異なるＲＡパラメータを可能にするように、複数のＰＲＡＣＨ設定が提供され得る。ＨＯコマンド４３０はＵＥ４１０のインターフェースによって受信され、次いでＵＥ４１０のプロセッサが、現セル識別に関連する、許容されるビームのリストから、ビームを自律的に選択し得る。次いで、ＵＥ４１０は、ＨＯコマンド４３０からのランダムアクセスパラメータを使用し、選択されたビームに関する初期同期およびランダムアクセス４４０のためにランダムアクセスパラメータを使用する。これは、ネットワークがＵＥ４１０についての専用のハンドオーバ設定を提供することを可能にし、ＵＥ４１０が選択し得る可能なビームの数を限定するという利点を有するが、やはり追加の設定およびシグナリングを必要とする。さらに、いくつかのシナリオでは、最適なビームが、ＨＯコマンド４３０で提供される、許容されるビームのリスト上にない場合、ＵＥ４１０が、最適ではないビームとなり得る。
【００６１】
いくつかの実施形態では、ターゲットｇＮＢ４２０ａのセル識別およびＰＲＡＣＨ設定情報に加えて、ＨＯコマンド４３０は、単一の許容されるビームの指示を含み得る。このターゲットセル情報は明示的にシグナリングされ得、またはモビリティ参照信号の設定などの他のパラメータから導出され得る。ＵＥ４１０のインターフェースはＨＯコマンド４３０を受信し得る。許容されるビームが１つだけあるので、ＵＥ４１０のプロセッサは、ビームの選択を行う必要がなく、ＵＥ４１０のプロセッサは、ＨＯコマンド４３０内で提供されるビームＩＤに基づいて、正しいセル識別を有する、提供されるビームに同期する。次いで、ＵＥ４１０は、初期同期およびランダムアクセス４４０のために、ＨＯコマンド４３０からのランダムアクセスパラメータを使用する。これは、ネットワークがＵＥ４１０についての専用のハンドオーバ設定を提供することを可能にし、特定のビームにユーザを明示的に割り当てるという利点を有するが、追加の設定およびシグナリングを必要とし、その結果、ＵＥが最適ではないビームとなる可能性がより高くなり得る。
【００６２】
いくつかの実施形態では、セル識別、ＰＲＡＣＨ設定情報、および許容されるビームのリストに加えて、ＨＯコマンド４３０はまた、許容されるビームとＲＡプリアンブル（またはアクセス設定の何らかの他の部分）との間のマッピングをも含み得る。この情報は明示的にシグナリングされ得、またはＭＲＳの設定などの他のパラメータから導出され得る。ＵＥ４１０のインターフェースはＨＯコマンド４３０を受信し得、次いでＵＥ４１０のプロセッサが、許容されるビームＩＤのリストから、正しいセル識別を有するビームを自律的に選択し、選択されたビーム識別子に対応する値にランダムアクセスプリアンブル値をセットし得る。次いで、ＵＥ４１０は、初期同期およびランダムアクセス４４０内の選択されたビームに対応するＰＲＡＣＨ設定情報およびＲＡプリアンブルを使用し得る。これは、ネットワークがＵＥ４１０についての専用のハンドオーバ設定を提供することを可能にし、ＵＥ４１０が選択し得る可能なビームの数を限定し、どのビームをＵＥが選択したかをネットワークが直ちに検出することを可能にするという利点を有するが、やはり追加の設定およびシグナリングを必要とし、その結果、ＵＥ４１０が最適ではないビームを使用し得る。
【００６３】
図５は、特定の実施形態による、ダウンリンク受信信号測定値に基づく条件付きハンドオーバ実行のシグナリング図を示す。レガシーシステムを使用するいくつかのシナリオでは、ＵＥがターゲットセルのカバレッジエリア内に既に移動した時の、ソースセルからのＲＲＣシグナリング送信の依存性のために、ハンドオーバ障害の確率が増加し得る。ＵＥがハンドオーバを実行すべき時（および無線条件）の、サービング無線リンクに対する望ましくない依存性を回避するために、いくつかの実施形態は、より早くＵＥ５１０にＲＲＣシグナリング５３０を提供し得る。例えば、レガシーシステムでのＲＲＣシグナリングの送信をトリガするはずのトリガリングイベントの発生前に、ＲＲＣシグナリング５３０が送られ得る。これは、例えば、ハンドオーバを条件と関連付けることによって行われ得、条件が満たされるとき、ＵＥ５１０は、ＨＯコマンド５３０内で提供される情報に従って、ハンドオーバを実行し得る。
【００６４】
ハンドオーバをトリガし得る１つのそのような条件は、ターゲットセルまたはビームの参照信号がサービングセルまたはビームの参照信号よりも「ｘ」ｄＢ強くなることであり得る。その場合、先行する測定レポーティングイベントで使用されるしきい値は、ハンドオーバ実行条件でのしきい値よりも低く選ばれ得る。これにより、初期の測定レポートの受信時にサービングセルがハンドオーバを準備し、ソースネットワークノードとＵＥとの間の無線リンクが依然として安定している時に、ＲＲＣＣｏｎｎｅｃｔｉｏｎＲｅｃｏｎｆｉｇｕｒａｔｉｏｎにｍｏｂｉｌｉｔｙＣｏｎｔｒｏｌＩｎｆｏを提供することが可能となる。ハンドオーバの実行は、ハンドオーバ実効のために最適と考えられる後の時点（およびしきい値）で行われる。
【００６５】
図５は、適切なサービングノード５２０および単一のターゲットノード５２０ａを有する一例を示すが、実際には、多くの場合、ＵＥ５１０がその先行するＲＲＭ測定値に基づいて可能な候補としてレポートした多くのノードからの多くのセルまたはビームがあり得る。その場合、ＲＡＮは、いくつかの候補ネットワークノードについての条件付きハンドオーバ命令を発行する自由を有し得る。それらの候補のそれぞれについて、ＲＲＣＣｏｎｎｅｃｔｉｏｎＲｅｃｏｎｆｉｇｕｒａｔｉｏｎは異なり得る。例えば、ＨＯ実行条件（測定すべきＲＳおよび超過すべきしきい値）に関連して、ならびに条件が満たされるときに送られるべきＲＡプリアンブル（Ｕｐｌｉｎｋ  Ｓｉｇｕｎａｔｕｒｅ  Ｓｉｇｎａｌと表される）の点である。例えば、異なるＲＡプリアンブルによって、候補ターゲットビームのうちのどれをＵＥが選択したか（例えば、どのビームがＨＯ実行条件を履行したか）をＵＥが示す場合、ＨＯ成功率を増加させ得る。
【００６６】
いくつかの実施形態では、初期のＨＯコマンドについてのＲＲＣＣｏｎｎｅｃｔｉｏｎＲｅｃｏｎｆｉｇｕｒａｔｉｏｎは、例えば、サービングノードと隣接ノードの両方が受信しようと試みる（ＲＡプリアンブルと同様の）ＵＬ参照信号を送るための設定をも含み得る。ネットワークは、観測されたアップリンク信号に基づいて、最も適切なセルを決定し、ＵＥが前提条件付けされたＨＯコマンドを実行するときにダウンリンク参照信号を発行し得る。極めて短いＨＯ中断でＵＲＬＬＣをサポートすることを目標とするＵＥが、ターゲットノードとのデータ交換を確立しながら、ソースノードとのデータ交換を維持するように設定され得る。前の研究で指摘されているように、これは、ＵＥ内の追加のハードウェア要素を必要とし得、したがってすべてのＵＥによってサポートされるわけではないことがある。
【００６７】
図６は、特定の実施形態による、ワイヤレスハンドオーバのための方法のフローチャートを示す。方法はステップ６００で始まる。各ステップは、デバイスが図６に示される実施形態でのステップを実施する指示を含む。説明を簡単にするために、指示されるデバイスが設けられるが、指定のデバイスが指示されるステップを実施することが必ずしも必要とされるわけではない。他の実施形態では、ステップのうちの１つまたは複数を実施するために異なるデバイスが使用され得る。図６で言及されるデバイスには、ワイヤレスデバイス、ソースネットワークノード、およびターゲットネットワークノードが含まれる。ソースネットワークノードは、方法の開始時にワイヤレスデバイスにワイヤレスサービスを提供するネットワークノードである。このサービスはソースセル内で提供される。ターゲットネットワークノードは、ワイヤレスデバイスがハンドオーバされるべきネットワークノードである。ターゲットネットワークノードは、ターゲットセル内のワイヤレスサービスを提供する。いくつかのシナリオでは、ソースセルおよびターゲットセルが同一の物理ネットワークノード（例えば、ＭＳＲネットワークノード）によって提供され得る。
【００６８】
ステップ６０５では、ソースネットワークノードが、ターゲットセルについての関連するアクセス情報を決定する。ターゲットセルはソースセルとは異なり、１つまたは複数のビームを含む。アクセス情報は、ターゲットネットワークノードによって提供される情報に基づいて決定され得る。いくつかの実施形態では、アクセス情報は特定のＵＥに特有のものであり得、または任意のＵＥに適用可能となるような汎用的なものであり得る（または、ＵＥ特有のアクセス情報を生み出すために使用され得る一般的情報であり得る）。特定の実施形態では、アクセス情報は、許容されるビームの指示を含み得る。いくつかの実施形態では、アクセス情報は、ターゲットセルの許容されるビームのそれぞれにマッピングされるランダムアクセスプリアンブルを含む。いくつかの実施形態では、アクセス情報は、共通ランダムアクセス設定情報および許容されるビームのための専用ランダムアクセスリソースを含む。
【００６９】
ステップ６１０では、ソースネットワークノードが、ターゲットセルにアクセスするためにワイヤレスデバイスによって使用され得る情報を含むハンドオーバメッセージを送信する。例えば、ハンドオーバメッセージは、ターゲットセルの識別を含み得る。別の例として、ハンドオーバメッセージはまた、ターゲットセルに関連するビーム関連情報を含むアクセス情報をも含み得る。いくつかの実施形態では、アクセス情報はランダムアクセスチャネル（ＲＡＣＨ）情報を含み得る。いくつかの実施形態では、ビーム関連情報は、ターゲットセルの利用可能なビームのすべてより少ないビームに関係し得る。
【００７０】
ステップ６１５では、ワイヤレスデバイスが、ソースネットワークノードからハンドオーバメッセージを受信する。いくつかの実施形態では、ハンドオーバメッセージは、トリガリングイベント（例えば、ソース信号品質がしきい値未満に降下する、ターゲット信号品質がしきい値を超える、など）に応答して受信され得る。このタイミングは、いつハンドオーバメッセージが送られるかという点で、レガシータイミングと同様であり得る。いくつかの実施形態では、トリガリングイベントが発生する前にハンドオーバメッセージが受信され得る。これにより、（トリガリングイベンが発生するのを待機するのと比較して）ソースネットワークノードとワイヤレスデバイスとの間の信号品質が良好となる時に、ソースネットワークノードが、ワイヤレスデバイスにターゲットセルについてのアクセス情報を提供することが可能となる。
【００７１】
ステップ６２０では、ワイヤレスデバイスが、ハンドオーバメッセージ内の情報（例えば、ターゲットセルの識別と、ターゲットセルに関連するアクセス情報）に基づいて、ターゲットセルからの少なくとも１つのビームを識別する。いくつかの実施形態では、ワイヤレスデバイスは、ターゲットセルに関連する、利用可能な／許容されるビームの１つまたは複数の品質特性に基づいてビームを識別し得る。いくつかのシナリオでは、ただ１つのビームが提供されていることがあり、ワイヤレスデバイスは、提供されたビームを単に選択する。
【００７２】
ステップ６２５では、ワイヤレスデバイスが、識別された少なくとも１つのビームを使用してターゲットセルにアクセスする。ターゲットセルは、ステップ６１５で受信されたハンドオーバメッセージ内で受信されたアクセス情報に基づいてアクセスされ得る。ワイヤレスデバイスがターゲットセルに関連するシステム情報をまず読み取る必要なしに、ターゲットセルはアクセスされ得る。いくつかの実施形態では、識別された少なくとも１つのビームを使用してターゲットセルにアクセスすることが、コンテンションベースのランダムアクセス手順を使用してターゲットセルにアクセスすることを含み得る。
【００７３】
前述のステップはいくつかの実施形態の例示に過ぎない。すべての実施形態が上記のすべてのステップを組み込むことも、ステップが図６に示される厳密な順序で実施されることも必要ではない。さらに、いくつかの実施形態は、図６に示されていないステップを含み得る。例えば、いくつかの実施形態では、ワイヤレスデバイスは、ターゲットノードからの１つまたは複数のビームに関連する信号品質の指示をソースネットワークノードに提供し得る。
【００７４】
図７は、特定の実施形態による、ワイヤレスデバイスおよびネットワークノードの機能単位のブロック図である。具体的には、特定のワイヤレスデバイス７１０およびネットワークノード７２０の機能単位が示されている。他の実施形態は、より多くの機能単位、より少ない機能単位、または異なる機能単位を含み得る。さらに、単一の図示されるユニットが、複数の類似のユニットを表し得る。例えば、決定ユニット７２２は、異なる決定を行うように設定された複数の決定ユニットを表し得る。ユニットは、ソフトウェア、コンピュータプログラム、サブルーチン、ライブラリ、ソースコード、または例えばプロセッサによって実行される任意の他の形態の実行可能命令を含み得る。この図７では、ワイヤレスデバイス７１０は、受信機ユニット７１２、識別ユニット７１４、およびアクセスユニット７１６を備え、ネットワークノード７２０は、決定ユニット７２２、準備ユニット７２４、送信ユニット７２６、および受信ユニット７２８を備える。
【００７５】
ＷＤ７１０の構成要素から始めると、受信機ユニット７１２は、ソースセルに関連するソースネットワークノードから第１のハンドオーバメッセージを受信するように設定される。第１のハンドオーバメッセージは、ターゲットセルの識別と、ターゲットセルに関連するアクセス情報とを含む。いくつかの実施形態では、３つ以上の潜在的なターゲットセルがあり得る。ターゲットセルはソースセルとは異なり、１つまたは複数のビームを含む。いくつかの実施形態では、ターゲットセルが、ソースネットワークノードとは異なる第２のネットワークノードに関連付けられる。いくつかの実施形態では、アクセス情報はランダムアクセスチャネル（ＲＡＣＨ）情報を含む。いくつかの実施形態では、ターゲットセルは少なくとも２つのビームを有し、アクセス情報は、ターゲットセルに関連する、許容されるビームの指示を含む。そのような実施形態では、許容されるビームは、ターゲットセルのビームのすべてよりも少ないことがある。特定の実施形態では、アクセス情報は、ターゲットセルの許容されるビームのそれぞれにマッピングされたランダムアクセスプリアンブルを含む。いくつかの実施形態では、アクセス情報は、共通ランダムアクセス設定情報および許容されるビームのための専用ランダムアクセスリソースを含む。
【００７６】
識別ユニット７１４は、第１のハンドオーバメッセージからのターゲットセルの識別およびアクセス情報に基づいて、ターゲットセルの１つまたは複数のビームの中から少なくとも１つのビームを識別するように設定される。
【００７７】
アクセスユニット７１６は、識別された少なくとも１つのビームを使用してターゲットセルにアクセスするように設定される。いくつかの実施形態では、アクセスユニット７１６は、コンテンションベースのランダムアクセス手順を使用してターゲットセルにアクセスするようにさらに設定される。いくつかの実施形態では、アクセスユニット７１６は、ターゲットセルに関連するシステム情報をまず読み取ることなく、ターゲットセルにアクセスするようにさらに設定される。
【００７８】
ここでネットワークノード７２０を見ると、決定ユニット７２２が、少なくとも１つのワイヤレスデバイスについての第２のネットワークノードに関連するアクセス情報を決定するように設定される。アクセス情報は、ターゲットセルから受信された情報から決定され得る。いくつかの実施形態では、ターゲットセルからの情報が、ネットワークノード７２０によって記憶された情報と組み合わされ、第２のネットワークノードに関連するアクセス情報が決定され得る。
【００７９】
準備ユニット７２４が、ワイヤレスデバイス７１０などのワイヤレスデバイスに送信されるべき第２のネットワークノードに関連するアクセス情報を準備するように設定される。
【００８０】
送信ユニット７２６が、ワイヤレスデバイスにアクセス情報を送信するように設定される。
【００８１】
受信ユニット７２８が、他のネットワークノードからアクセス情報を受信するように設定される。受信されたアクセス情報は、ネットワークノード７２０によって行われるアクセス情報への修正と共に、または修正を伴わずにワイヤレスデバイスに送られることになる（例えば、ネットワークノードは、ターゲットセルによって提供されたアクセス情報を単に転送し得、またはターゲットセルによって提供された情報を修正し得る）。
【００８２】
任意の適切なステップ、方法、または機能は、例えば前述の図のうちの１つまたは複数に示される構成要素および機器によって実行され得るコンピュータプログラム製品を通じて実施され得る。例えば、ストレージ２２３は、コンピュータプログラムがその上に記憶され得るコンピュータ可読手段を含み得る。コンピュータプログラムは、プロセッサ２２２（および、インターフェース２２１やストレージ２２３などの、任意の動作可能に結合されたエンティティおよびデバイス）に本明細書に記載の実施形態による方法を実施させる命令を含み得る。したがって、コンピュータプログラムおよび／またはコンピュータプログラム製品は、本明細書で開示される任意のステップを実施するための手段を提供し得る。
【００８３】
本発明の概念のいくつかの態様が、主にいくつかの実施形態を参照しながら上記で説明された。しかしながら、当業者は容易に理解するように、上記で開示されたもの以外の実施形態が等しく可能であり、本発明の概念の範囲内にある。同様に、いくつかの異なる組合せが論じられたが、すべての可能な組合せが開示されたわけではない。他の組合せが存在し、本発明の概念の範囲内にあることを当業者なら理解されよう。さらに、当業者は理解するように、本明細書で開示される実施形態は、他の規格および通信システムにも適用可能なものであり、他の特徴と共に開示される特定の図からの任意の特徴が、任意の他の図に適用可能であり、または異なる特徴と組み合わされ得る。
【図１】
0006872013.tif 000002
【図２】
0006872013.tif 000003
【図３】
0006872013.tif 000004
【図４】
0006872013.tif 000005
【図５】
0006872013.tif 000006
【図６】
0006872013.tif 000007
【図７】
0006872013.tif 000008